(57)【要約】  【課題】  医師が手軽に使用することができ、患者が病状や治療方針を的確に把握することができる医療説明メモパッドを提供する。  【解決手段】  複数枚のメモ用紙３を重ね、枚葉ごとに剥離可能に綴じた医療説明用メモパッド１であって、前記各メモ用紙３の表面に人体の組織解剖図６が筆記濃度よりも薄い濃度で薄墨印刷されている。【選択図】  図２
0003203736.tif 000002
【実用新案登録請求の範囲】
【請求項１】
複数枚のメモ用紙を重ね、枚葉ごとに剥離可能に綴じたメモパッドであって、前記各メモ用紙の表面に人体の組織解剖図が筆記濃度よりも薄墨で印刷されていることを特徴とする、医療説明用メモパッド。
【考案の詳細な説明】
【技術分野】
【０００１】
本考案は、医師が患者に対して病状や治療手順などを説明するために使用する医療用説明メモパッドに関する。
【背景技術】
【０００２】
近年、医師が患者に対して病状や治療方針を詳細に説明し、患者に予定している方針により治療を進めてよいかを確認することの要請が広がりつつある。
【０００３】
この医療に関する説明については、通常、各種計測データの数値結果や、レントゲン写真などの医療機器により得られた画像などを用いて説明することが多いが、当該医療に関する情報は専門的であり、患者が理解しにくいことが多い。
【０００４】
例えば、体内組織の一部に影が撮像されているレントゲン写真をみて、医療の専門知識を持たない患者が当該組織のどの部分にどのような異常が生じているのかを判別することは困難であり、通常、医師がレントゲン写真を参考にして病状を説明することが多い。
【０００５】
これらの画像は、専門家であれば判別可能であるが、一般的な患者には不鮮明な画像としか把握されず、病状の説明を他者、例えば、家族や保険会社などに説明するのには使用しにくい。
【０００６】
医療の現場では、このような場合に、専門書などのコピーやコンピュータに格納されている画像を印刷して患者に渡し、当該用紙に医師が追記することで説明が行われている場合がある。しかし、当該説明のためのコピーや印刷の手間が煩雑であるという問題がある。
【０００７】
このために、患者に対して治療説明や投薬のための医療情報を説明するための画像をあらかじめ印刷した用紙が、例えば、特許文献１又は２などに開示されている。
【先行技術文献】
【特許文献】
【０００８】
【特許文献１】特開２０１４−１５３９８８号公報
【特許文献２】実用新案登録第３１５６１０７号公報
【考案の概要】
【考案が解決しようとする課題】
【０００９】
特許文献１のシートは、整骨院において、患者のケガや記録を残すことを目的とするために、人体全体の前面及び背面の画像が印刷されており、当該画像を用いてケガの位置を示すことが開示されている。
【００１０】
しかし、この画像では、けがの位置を特定するためには大まかすぎ、人体のけがの位置を特定するには不十分であり、文章により位置を特定するのとほとんど差がない程度の特定しか不可能であった。
【００１１】
また、特許文献２の薬提供用紙は、薬の説明のための用紙であり、当該薬が自分のどの組織に効能があるのかを認識させるために、臓器や骨格などの画像を印刷している。
【００１２】
しかし、この薬提供用紙は、単なる人体に対する興味を喚起するにとどまり、具体的な治療方針などを患者が認識するには不十分であった。
このように、特許文献１、２の用紙では、患者の症状に対する不安や治療方針を明確に認識させるには不十分であり、さらに、医師が筆記した説明が画像によって見にくいため、誤った情報が伝わる可能性があった。
【００１３】
したがって、本考案が解決しようとする技術的課題は、医師が手軽に使用することができ、患者が病状や治療方針を的確に把握することができる医療説明メモパッドを提供することである。
【課題を解決するための手段】
【００１４】
本考案は、上記技術的課題を解決するために、以下の構成の医療説明用メモパッドを提供する。
【００１５】
本考案の第１態様によれば、複数枚のメモ用紙を重ね、枚葉ごとに剥離可能に綴じたメモパッドであって、前記各メモ用紙の表面に人体の組織解剖図が筆記濃度よりも薄墨で印刷されていることを特徴とする、医療説明用メモパッドを提供する。なお、本考案において、薄墨とは、印刷濃度が薄い状態で印刷されていることを意味するものであり、印刷色が墨色又はねずみ色であることを意味するものではない。
【考案の効果】
【００１６】
本考案によれば、患者が症状や治療方法などを的確に把握しやすく、患者が他者に対して正確に説明することができるため、患者関係者にとって安心して治療を受けることができる。また、医師にとっても、的確に患者に症状を伝えることができるため、患者とのコミュニケーションツールとして使用することで説明を手短に行うことができ、診療時間を短縮することができる。また、組織解剖図は、薄墨に印刷されているため、メモとしての筆記の支障になることがなく、種々の用途に使用することが可能となる。
【図面の簡単な説明】
【００１７】
【図１】本考案の医療用説明メモパッドの外観構成を示す図である。
【図２】図１の医療用説明メモパッドの表紙を開いた状態を示す図である。
【図３】図１の医療用説明メモパッドの紙面を示す図である。
【図４】図１の医療用説明メモパッドの紙面の他の例を示す図である。
【考案を実施するための形態】
【００１８】
以下、本考案の各実施形態に係る医療用説明メモパッドについて、図面を参照しながら説明する。
【００１９】
図１は、本発明の実施形態にかかる医療説明用メモパッドの外観構成を示す図である。本実施形態にかかる医療説明用メモパッド１は、図１に示すように、複数のメモ用紙３を重ね、上端で綴じたメモパッド２に表紙４を付したものである。メモ用紙３は、本実施形態では、Ｂ６サイズのものが用いられており、１つのメモパッド２に５０枚のメモ用紙３が綴じられている。
【００２０】
図２に示すように、メモパッド２は、上端５をのり付けにより綴じており、メモ用紙３を枚葉ごとに剥離可能に構成されている。表紙は、メモパッド２の裏側に接着されており、１枚の用紙で構成されて、綴じられたメモパッド２をくるんだ天巻き仕上げに取り付けられている。
【００２１】
メモ用紙３は、図２，図３に示すように、中央部分に大きく人体の組織解剖図６が印刷されている。組織解剖図６としては、人体の臓器、骨格、歯列など解剖学などで使用される解剖図を使用することができ、医師が患者に病状や治療法の説明をするために好適に使用できるものであれば特に限定されるものではない。本実施形態では、図３の例では眼球の解剖図６ａが、図４の例では心臓の解剖図６ｂがそれぞれ印刷されている。
【００２２】
組織解剖図６は、メモ用紙３の中央部分に薄墨で印刷されている。薄墨での印刷とは、ベタ塗りに対して薄い濃度で印刷されていることを意味し、具体的には、印刷の各網点において、印刷インクの塗布割合を少なくすることによって実現される。印刷の濃度の程度としては、医師が組織解剖図６の上から、ボールペンや鉛筆などの筆記具で追記したときに、当該筆跡７の支障にならない程度の濃度となっている。また、組織解剖図６は単色で印刷されていることが好ましく、本実施形態では、一例として青色で印刷されている。
【００２３】
なお、図４では、下方位置に印刷されている例を示しているが、メモ用紙には、任意の位置に医師や病院名などの情報８が印刷されていてもよい。
【００２４】
本実施形態にかかる医療説明用メモパッド１は、図示しないメモパッド受注サイトによりインターネットを通じて作成依頼することができるようにしてもよい。本医療説明用メモパッドを注文したい医師などの依頼者は、自己の端末からインターネットを通じて当該受注サイトにアクセスし、メモパッドの作成を依頼することができる。
【００２５】
依頼者は、依頼時に、受注サイトの指示に従い、メモパッドに印刷を希望する解剖図データを特定し、その情報を当該サイトを通じて作成者に送信する。解剖図データとしては、サイト内に予め用意されているテンプレートデータを用いてもよいし、依頼者が独自に用意した画像データを用いてもよい。
【００２６】
受注依頼を受けると、サイト運営者は、受信した解剖図データの大きさ及び印刷濃度を自己の端末で調整し、当該端末と接続されている印刷機を操作してメモ用紙に印刷する。当該印刷されたメモ用紙は、複数枚が綴じられてメモパッドが完成する。
【００２７】
本考案の医療説明用メモパッド１は、医師が患者に対して病状や手術の手順などの治療法を説明するために使用し、筆記具でメモ用紙に説明書きを加えることができる。また、その用紙を剥離して患者に渡すこともでき、医師の筆跡が視認しやすいため、患者が第三者に説明をする場合に的確に説明を進めることができる。
【００２８】
本考案によれば、患者が症状や治療方法などを的確に把握しやすく、患者が他者に対して正確に説明することができるため、患者関係者にとって安心して治療を受けることができる。また、医師にとっても、的確に患者に症状を伝えることができるため、説明を手短に行うことができ、診療時間を短縮することができる。また、組織解剖図は、薄墨に印刷されているため、メモとしての筆記の支障になることがなく、種々の用途に使用することが可能となる。
【００２９】
なお、本考案は上記実施形態に限定されるものではなく、その他種々の態様で実施可能である。メモパッド２のサイズや表紙４とメモパッド２の取り付け方法などは一例にすぎず、適宜用途等に応じて変更してもよい。
【００３０】
また、組織解剖図６はメモ用紙３の片面にのみ印刷されているが、両面に印刷されていてもよく、また、表裏で異なる図が印刷されていてもよい。
【符号の説明】
【００３１】
１  医療説明用メモパッド
２  メモパッド
３  メモ用紙
４  表紙
５  メモパッド上端
６  組織解剖図
７  筆跡
８  医師情報
【図１】
0003203736.tif 000003
【図２】
0003203736.tif 000004
【図３】
0003203736.tif 000005
【図４】
0003203736.tif 000006